(57)【要約】【課題】  バスレフ型スピーカー装置において、スピーカーボックスを薄型化した場合にも、バスレフ用のダクトの経路を長くとれるようにする。【解決手段】  スピーカーボックス内に、バスレフ用のダクトを、スピーカー装置の前後方向に対して垂直な方向に経路を延ばすとともに、経路を曲げて設ける。【選択図】  図６
2006253948.tif 000002
【特許請求の範囲】
【請求項１】
スピーカーボックス内に、スピーカーユニットが取り付けられるとともに、前記スピーカーユニットの背面から発生する音を外部に放射するためのダクトが設けられたバスレフ型スピーカー装置において、
前記ダクトが、スピーカー装置の前後方向に対して垂直な方向に経路を延ばすとともに、経路を曲げて設けられている
ことを特徴とするバスレフ型スピーカー装置。
【請求項２】
請求項１に記載のバスレフ型スピーカー装置において、
前記ダクトの経路が、前記前後方向に対して垂直な面内で曲がっている
ことを特徴とするバスレフ型スピーカー装置。
【請求項３】
請求項２に記載のバスレフ型スピーカー装置において、
前記ダクトの経路が、前記前後方向に対して垂直な面内で渦巻状に曲がっている
ことを特徴とするバスレフ型スピーカー装置。
【請求項４】
請求項２に記載のバスレフ型スピーカー装置において、
前記ダクトの経路が、前記前後方向に対して垂直な面内でＳ字状に曲がっている
ことを特徴とするバスレフ型スピーカー装置。
【請求項５】
スピーカーボックス内に、第１のスピーカーユニット及び第２のスピーカーユニットが取り付けられるとともに、前記第１のスピーカーユニット，前記第２のスピーカーユニットの背面から発生する音をそれぞれ外部に放射するための第１のダクト，第２のダクトが設けられたバスレフ型スピーカー装置において、
前記第１のダクト，前記第２のダクトのうちの一方がスピーカー装置の前方寄りに配置されるとともに残りの一方がスピーカー装置の後方寄りに配置されており、
前記第１のダクト，前記第２のダクトは、それぞれスピーカー装置の前後方向に対して垂直な方向に経路を延ばすとともに、前記前後方向に対して垂直な面内で曲がっている
ことを特徴とするバスレフ型スピーカー装置。
【請求項６】
請求項５に記載のバスレフ型スピーカー装置において、
前記スピーカーボックス内の空間が、前記前後方向に対して平行な仕切り板によって第１の空間と第２の空間とに分離されており、
前記第１の空間に前記第１のダクトが配置され、前記第２の空間に前記第２のダクトが配置されている
ことを特徴とするバスレフ型スピーカー装置。
【請求項７】
請求項６に記載のバスレフ型スピーカー装置において、
前記仕切り板は、前記第２のダクトの経路の終端に対応する位置に、前記第１の空間と前記第２の空間とを結ぶ穴を有しており、
前記第１の空間のうち、前記穴によって前記第２の空間と結ばれた箇所は、前記第１のダクトの経路から隔離されており、
前記スピーカーボックスは、前記第１の空間側に、前記第１のダクトの経路の終端の位置に対応させて前記第１のダクトの開口部を有するとともに、前記仕切り板の前記穴の位置に対応させて前記第２のダクトの開口部を有する
ことを特徴とするバスレフ型スピーカー装置。
【請求項８】
スピーカーユニットを取り付け可能であり、取り付けたスピーカーユニットの背面から発生する音を外部に放射するためのダクトが設けられた、バスレフ型スピーカー装置用のスピーカーボックスにおいて、
前記ダクトが、スピーカー装置の前後方向に対して垂直な方向に経路を延ばすとともに、経路を曲げて設けられている
ことを特徴とするスピーカーボックス。
【請求項９】
請求項８に記載のスピーカーボックスにおいて、
前記ダクトの経路が、前記前後方向に対して垂直な面内で曲がっている
ことを特徴とするスピーカーボックス。
【請求項１０】
請求項９に記載のスピーカーボックスにおいて、
前記ダクトの経路が、前記前後方向に対して垂直な面内で渦巻状に曲がっている
ことを特徴とするスピーカーボックス。
【請求項１１】
請求項９に記載のスピーカーボックスにおいて、
前記ダクトの経路が、前記前後方向に対して垂直な面内でＳ字状に曲がっている
ことを特徴とするスピーカーボックス。
【請求項１２】
２つのスピーカーユニットを取り付け可能であり、取り付けた２つのスピーカーユニットの背面から発生する音をそれぞれ外部に放射するための第１のダクト，第２のダクトが設けられた、バスレフ型スピーカー装置用のスピーカーボックスにおいて、
前記第１のダクト，前記第２のダクトのうちの一方がスピーカー装置の前方寄りに配置されるとともに残りの一方がスピーカー装置の後方寄りに配置されており、
前記第１のダクト，前記第２のダクトは、それぞれスピーカー装置の前後方向に対して垂直な方向に経路を延ばすとともに、前記前後方向に対して垂直な面内で曲がっている
ことを特徴とするスピーカーボックス。
【請求項１３】
請求項１２に記載のスピーカーボックスにおいて、
前記スピーカーボックス内の空間が、前記前後方向に対して平行な仕切り板によって第１の空間と第２の空間とに分離されており、
前記第１の空間に前記第１のダクトが配置され、前記第２の空間に前記第２のダクトが配置されている
ことを特徴とするスピーカーボックス。
【請求項１４】
請求項１３に記載のスピーカーボックスにおいて、
前記仕切り板は、前記第２のダクトの経路の終端に対応する位置に、前記第１の空間と前記第２の空間とを結ぶ穴を有しており、
前記第１の空間のうち、前記穴によって前記第２の空間と結ばれた箇所は、前記第１のダクトの経路から隔離されており、
前記スピーカーボックスは、前記第１の空間側に、前記第１のダクトの経路の終端の位置に対応させて前記第１のダクトの開口部を有するとともに、前記仕切り板の前記穴の位置に対応させて前記第２のダクトの開口部を有する
ことを特徴とするスピーカーボックス。
【請求項１５】
バスレフ型スピーカー装置を搭載した画像表示装置において、
前記バスレフ型スピーカー装置は、
スピーカーユニットの背面から発生する音を外部に放射するためにスピーカーボックス内に設けられたダクトが、スピーカー装置の前後方向に対して垂直な方向に経路を延ばすとともに、経路を曲げて設けられている
ことを特徴とする画像表示装置。
【請求項１６】
バスレフ型スピーカー装置を搭載した画像表示装置において、
前記バスレフ型スピーカー装置は、
第１のスピーカーユニット，第２のスピーカーユニットの背面から発生する音をそれぞれ外部に放射するためにスピーカーボックス内に設けられた第１のダクト，第２のダクトのうちの一方がスピーカー装置の前方寄りに配置されるとともに残りの一方がスピーカー装置の後方寄りに配置されており、
前記第１のダクト，前記第２のダクトは、それぞれスピーカー装置の前後方向に対して垂直な方向に経路を延ばすとともに、前記前後方向に対して垂直な面内で曲がっている
ことを特徴とする画像表示装置。
【発明の詳細な説明】
【技術分野】
【０００１】
本発明は、バスレフ型スピーカー装置及びそのスピーカーボックスに関し、特に、スピーカーボックスを薄型化するのに適したものに関する。また、本発明は、バスレフ型スピーカー装置を搭載した画像表示装置に関する。
【背景技術】
【０００２】
スピーカー装置の一種として、バスレフ型スピーカー装置が普及している。バスレフ型スピーカー装置は、周知の通り、スピーカーボックス内に、スピーカーユニットの背面から発生する音を外部に放射するためのダクトを設けたものである。スピーカーユニットの背面から発生する音を、このダクト内を遠回りさせて外部に放射することにより、低い周波数帯域の音の位相を反転させて（すなわち、スピーカーユニットの前面から発生する低音とスピーカーユニットの背面から発生する低音とを同位相にして）、低音域の特性を改善することができる。
【０００３】
従来のバスレフ型スピーカー装置では、スピーカーボックス内に、バスレフ用のダクトとして、経路が直線的に延びたパイプ型（筒型）のダクトを設けるのが一般であった（例えば、特許文献１、２参照。）。
【０００４】
【特許文献１】特開２００３−６１１７７号公報（段落番号０００７、図１）
【特許文献２】特開２００３−３２４７９５号公報（段落番号００６４、００７７〜７９、図３）
【発明の開示】
【発明が解決しようとする課題】
【０００５】
しかし、例えば画像表示装置にバスレフ型スピーカー装置を搭載して映像と音声とを一緒に視聴する場合に、画像表示装置内でのスピーカー装置の設置スペースを節約するためにスピーカーボックスを薄型化しようとすると、従来のような直線的な経路のパイプ型のダクトでは、ダクトの経路を長くとることができなくなる。その結果、低い周波数帯域の音の位相が反転されなくなるので、低音域の特性を十分に改善できなくなる。
【０００６】
本発明は、上述の点に鑑み、バスレフ型スピーカー装置において、スピーカーボックスを薄型化した場合にも、バスレフ用のダクトの経路を長くとれるようにすることを課題としてなされたものである。
【課題を解決するための手段】
【０００７】
この課題を解決するために、本発明は、スピーカーボックス内に、スピーカーユニットが取り付けられるとともに、このスピーカーユニットの背面から発生する音を外部に放射するためのダクトが設けられたバスレフ型スピーカー装置において、このダクトが、スピーカー装置の前後方向に対して垂直な方向に経路を延ばすとともに、経路を曲げて設けられていることを特徴とする。
【０００８】
このバスレフ型スピーカー装置では、スピーカーボックス内に、バスレフ用のダクトが、スピーカー装置の前後方向（すなわち厚さ方向）に対して垂直な方向に経路を延ばすとともに、経路を曲げて設けられている。このように、厚さ方向に対して垂直な方向（すなわちスピーカー装置の縦方向や横方向）に経路を延ばすとともに、直線のみの経路ではなく曲がった経路にすることにより、スピーカーボックスを薄型化した場合にも、このダクトの経路を長くとることができる。
【０００９】
なお、このバスレフ型スピーカー装置において、一例として、このダクトの経路を、スピーカー装置の前後方向に対して垂直な面内（すなわちスピーカー装置の縦・横方向の面内）で曲げることが好適である。
【００１０】
それにより、スピーカー装置の縦・横方向の面内で経路を往復させることができるので、ダクトの経路をより一層長くとることができる。
【００１１】
また、このようにスピーカー装置の縦・横方向の面内で経路を曲げる場合は、一例として、ダクトの経路を渦巻状またはＳ字状に曲げることが好適である。それにより、スピーカー装置の縦・横方向の面内で、ダクトの経路が一往復を超えて延びるようになるので、ダクトの経路をより一層長くとることができる。
【００１２】
次に、本発明は、スピーカーボックス内に、第１のスピーカーユニット及び第２のスピーカーユニットが取り付けられるとともに、この第１のスピーカーユニット，第２のスピーカーユニットの背面から発生する音をそれぞれ外部に放射するための第１のダクト，第２のダクトが設けられたバスレフ型スピーカー装置において、第１のダクト，第２のダクトのうちの一方がスピーカー装置の前方寄りに配置されるとともに残りの一方がスピーカー装置の後方寄りに配置されており、第１のダクト，第２のダクトは、それぞれスピーカー装置の前後方向に対して垂直な方向に経路を延ばすとともに、この前後方向に対して垂直な面内で曲がっていることを特徴とする。
【００１３】
このバスレフ型スピーカー装置では、第１，第２のスピーカーユニットのバスレフ用の第１，第２のダクトのうちの一方がスピーカー装置の前方寄りに配置されるとともに残りの一方がスピーカー装置の後方寄りに配置されている。すなわち、この第１，第２のダクトが、互いにスピーカー装置の前後方向（厚さ方向）上に距離をあけて配置されている。
【００１４】
そして、この第１，第２のダクトが、それぞれスピーカー装置の前後方向に対して垂直な方向（スピーカー装置の縦方向や横方向）に経路を延ばすとともに、この前後方向に対して垂直な面内（スピーカー装置の縦・横方向の面内）で経路を曲げている。
【００１５】
したがって、この第１のダクトの経路と第２のダクトの経路とを、互いに相手の経路を制限することなく、それぞれスピーカー装置の縦方向や横方向に延ばすとともにスピーカー装置の縦・横方向の面内で往復させることができる。これにより、スピーカーボックスを薄型化した場合にも、この第１，第２のダクトの経路をそれぞれ長くとることができる。
【００１６】
なお、このバスレフ型スピーカー装置において、一例として、スピーカーボックス内の空間を、スピーカー装置の前後方向に対して平行な仕切り板によって第１の空間と第２の空間とに分離し、この第１の空間に第１のダクトを配置し、この第２の空間に第２のダクトを配置することが好適である。
【００１７】
それにより、コストをかけることなく、簡単な構造によって、第１，第２のダクトを、互いにスピーカー装置の前後方向（厚さ方向）上に距離をあけて配置することができる。
【００１８】
また、このような仕切り板によって空間を分離する場合には、一例として、この仕切り板は、第２のダクトの経路の終端に対応する位置に、第１の空間と第２の空間とを結ぶ穴を有するようにし、第１の空間のうち、この穴によって第２の空間と結ばれた箇所は、第１のダクトの経路から隔離されるようにし、スピーカーボックスは、第１の空間側に、第１のダクトの経路の終端の位置に対応させて第１のダクトの開口部を有するとともに、この仕切り板の穴の位置に対応させて第２のダクトの開口部を有するようにすることが好適である。
【００１９】
それにより、スピーカーボックスを薄型化した場合にも、第１，第２のスピーカーユニットの背面からの音を、それぞれ経路を長くとった第１，第２のダクトを通して、互いに同じ向きに放射することができる。
【００２０】
次に、本発明は、スピーカーユニットを取り付け可能であり、取り付けたスピーカーユニットの背面から発生する音を外部に放射するためのダクトが設けられた、バスレフ型スピーカー装置用のスピーカーボックスにおいて、このダクトが、スピーカー装置の前後方向に対して垂直な方向に経路を延ばすとともに、経路を曲げて設けられていることを特徴とする。
【００２１】
このスピーカーボックスでは、バスレフ用のダクトが、スピーカー装置の前後方向（すなわち厚さ方向）に対して垂直な方向に経路を延ばすとともに、経路を曲げて設けられている。このように、厚さ方向に対して垂直な方向（すなわちスピーカー装置の縦方向や横方向）に経路を延ばすとともに、直線のみの経路ではなく曲がった経路にすることにより、スピーカーボックスを薄型化した場合にも、このダクトの経路を長くとることができる。
【００２２】
次に、本発明は、２つのスピーカーユニットを取り付け可能であり、取り付けた２つのスピーカーユニットの背面から発生する音をそれぞれ外部に放射するための第１のダクト，第２のダクトが設けられた、バスレフ型スピーカー装置用のスピーカーボックスにおいて、この第１のダクト，第２のダクトのうちの一方がスピーカー装置の前方寄りに配置されるとともに残りの一方がスピーカー装置の後方寄りに配置されており、この第１のダクト，第２のダクトは、それぞれスピーカー装置の前後方向に対して垂直な方向に経路を延ばすとともに、この前後方向に対して垂直な面内で曲がっていることを特徴とする。
【００２３】
このスピーカーボックスでは、第１，第２のスピーカーユニットのバスレフ用の第１，第２のダクトのうちの一方がスピーカー装置の前方寄りに配置されるとともに残りの一方がスピーカー装置の後方寄りに配置されている。すなわち、この第１，第２のダクトが、互いにスピーカー装置の前後方向（厚さ方向）上に距離をあけて配置されている。
【００２４】
そして、この第１，第２のダクトが、それぞれスピーカー装置の前後方向に対して垂直な方向（スピーカー装置の縦方向や横方向）に経路を延ばすとともに、この前後方向に対して垂直な面内（スピーカー装置の縦・横方向の面内）で経路を曲げている。
【００２５】
したがって、この第１のダクトの経路と第２のダクトの経路とを、互いに相手の経路を制限することなく、それぞれスピーカー装置の縦方向や横方向に延ばすとともにスピーカー装置の縦・横方向の面内で往復させることができる。これにより、スピーカーボックスを薄型化した場合にも、この第１，第２のダクトの経路をそれぞれ長くとることができる。
【００２６】
次に、本発明は、バスレフ型スピーカー装置を搭載した画像表示装置において、このバスレフ型スピーカー装置は、スピーカーユニットの背面から発生する音を外部に放射するためにスピーカーボックス内に設けられたダクトが、スピーカー装置の前後方向に対して垂直な方向に経路を延ばすとともに、経路を曲げて設けられていることを特徴とする。
【００２７】
また、本発明は、バスレフ型スピーカー装置を搭載した画像表示装置において、このバスレフ型スピーカー装置は、第１のスピーカーユニット，第２のスピーカーユニットの背面から発生する音をそれぞれ外部に放射するためにスピーカーボックス内に設けられた第１のダクト，第２のダクトのうちの一方がスピーカー装置の前方寄りに配置されるとともに残りの一方がスピーカー装置の後方寄りに配置されており、この第１のダクト，第２のダクトは、それぞれスピーカー装置の前後方向に対して垂直な方向に経路を延ばすとともに、この前後方向に対して垂直な面内で曲がっていることを特徴とする。
【００２８】
これらの画像表示装置は、本発明に係るバスレフ型スピーカー装置を搭載したものであり、バスレフ型スピーカー装置を狭いスペースに搭載することができるとともに、そのバスレフ型スピーカー装置のスピーカーユニットの背面から発生する音を、経路を長くとったバスレフ用のダクトから外部に放射することができる。
【発明の効果】
【００２９】
本発明によれば、バスレフ型スピーカー装置において、スピーカーボックスを薄型化した場合にも、バスレフ用のダクトの経路を長くとることができるという効果が得られる。
【発明を実施するための最良の形態】
【００３０】
次に、本発明の実施形態を、図面を用いて具体的に説明する。なお、以下では、直視型の画像表示装置に搭載するバスレフ型スピーカー装置に本発明を適用した例について説明することにする。
【００３１】
図１〜図３は、本発明を適用したバスレフ型スピーカー装置用のスピーカーボックスの構成例を示す図（図１は背面側から見た分解図、図２は前面側から見た分解図、図３は前面側から見た斜視図）である。
【００３２】
このスピーカーボックス１は、樹脂製であり、前面側ボックス２と、背面側ボックス３とから成っている。図１，図２に示すように、前面側ボックス２，背面側ボックス３の一方の端部には、それぞれスピーカーユニット６を取り付けるための領域２ａ，３ａが設けられている。前面側ボックス２，背面側ボックス３のもう一方の端部には、それぞれスピーカーユニット７を取り付けるための領域２ｂ，３ｂが設けられている。スピーカーユニット６，７は、周知のように、ボイスコイルが取付けられた振動板と磁気回路とを有するものであり、ボイスコイルに電気信号を供給すると、磁気回路の作用によってボイスコイルが振動板を振動させるので、音が発生する。
【００３３】
そして、図１，図２に示すように、前面側ボックス２と背面側ボックス３とをゴム製のクッション４を挟んで向き合わせ、複数のネジ５によって前面側ボックス２と背面側ボックス３とを互いに固定させることにより、図３に示すようにしてスピーカーボックス１が完成する（スピーカーユニット６，７を取り付けた状態でこのように前面側ボックス２と背面側ボックス３とを互いに固定させると、バスレフ型スピーカー装置が完成することになる）。なお、クッション４は、後述するように、一部分が仕切り板としての役割を兼ね備えた形状をしている。
【００３４】
このスピーカーボックス１は、スピーカーユニット６，７を取り付けた状態で画像表示装置に搭載して、スピーカーユニット６，７でステレオ音声を聴く（あるいは、一方のスピーカーユニットで主音声を聴き、もう一方のスピーカーユニットで副音声を聴く）ためのものである。
【００３５】
図４は、このスピーカーボックス１を搭載した画像表示装置の外観構成の一例を示す。この画像表示装置２１は、具体的には、テレビジョン受信機であってもよいし、コンピューター用のディスプレイであったもよいし、あるいは、テレビ会議用にモニターやスピーカーやコーデックを一体化させた装置であってもよい。
【００３６】
画像表示装置２１の内部の前面寄りの位置には、バスレフ型スピーカー装置を搭載するためのスペースが設けられており、このスペースに、スピーカーユニット６，７を取り付けたスピーカーボックス１が搭載されている。図示は省略しているが、画像表示装置２１の筐体の前面側には、スピーカーボックス１のスピーカーユニット６，７の取り付け位置及び後述の開口部１０，１２の位置に対応して、このスピーカーユニット６，７や開口部１０，１２からの音を画像表示装置２１の外部に放射するための複数の小さな穴があけられている（但し、別の構成として、筐体の底面に隙間を設け、この隙間から外部に音を放射させるようにしてもよい）。例えば画像表示装置２１がテレビ会議用の装置である場合には、コーデックで復号された相手の会議室からの画像・音声を、この装置２１の画面及びスピーカーユニット６，７で視聴することができる。
【００３７】
このように画像表示装置に搭載することを目的として、スピーカーボックス１は薄型化されている。図５は、スピーカーボックス１の寸法を示す図である。スピーカーボックス１は、全長（横方向の寸法）が２６０ｍｍ、厚さ（前後方向の寸法）が３３ｍｍ、高さ（縦方向の寸法）が６０ｍｍである。
【００３８】
図１に示すように、前面側ボックス２のうち、領域２ａと領域２ｂとの間の領域２ｃは、一つの箇所Ｓ１で領域２ａとつながっているが、領域２ｂとは、前面側ボックス２の厚さと同じ高さの壁８によって仕切られている。そして、この領域２ｃに、前面側ボックス２の厚さと同じ高さの壁９によって、渦巻状の経路が形成されている。
【００３９】
図６は、前面側ボックス２の寸法を示す図である。前面側ボックス２は、全長が２６０ｍｍ、厚さが１６．５ｍｍ、領域２ａ，２ｂの部分の高さが６０ｍｍである。領域２ｃの部分は、長さが１３１ｍｍ、高さが３２ｍｍである。そして、領域２ｃに、厚さ２．５ｍｍの壁９によって、幅５．５ｍｍの渦巻状の経路が形成されている。
【００４０】
図７は、領域２ｃの渦巻状の経路を、見やすくするために破線状の矢印で示した図である。この渦巻状の経路は、領域２ａとつながっている箇所Ｓ１を経路の始端として、前面側ボックス２の厚さ方向に対して垂直な方向に延びるとともに、領域２ｃの長さよりも長い総延長を有するように（領域２ｃ内で一往復以上に亘って延びるように）曲がっている。経路の終端Ｔ１までの全長は、約４３９ｍｍである。
【００４１】
図７や図２，図３に示すように、前面側ボックス２は、この渦巻状の経路の終端Ｔ１に対応する位置に、開口部１０を有している。
【００４２】
また、図７や図１に示すように、領域２ｃ内には、壁９によって渦巻状の経路から隔離された箇所１１が存在する。そして、図７や図２，図３に示すように、前面側ボックス２は、この隔離箇所１１に対応する位置にも、開口部１２を有している。
【００４３】
他方、図２に示すように、背面側ボックス３のうち、領域３ａと領域３ｂとの間に位置する領域３ｃは、一つの箇所Ｓ２で領域３ｂとつながっているが、領域３ａとは、背面側ボックス３の厚さと同じ高さの壁１３によって仕切られている。そして、この領域３ｃに、前面側ボックス２の領域２ｃにおけるのと全く同様にして、壁１４によって渦巻状の経路が形成されている。
【００４４】
背面側ボックス３の全体の寸法や領域３ｃの寸法は、図６に示した前面側ボックス２の全体の寸法や領域２ｃの寸法と同じである。領域３ｃの渦巻状の経路の幅や始端（領域３ｂとつながっている箇所Ｓ２）から終端Ｔ２までの全長も、領域２ｃの渦巻状の経路の幅や全長と同じである。図８は、領域３ｃの渦巻状の経路を、見やすくするために破線状の矢印で示した図である。
【００４５】
図１，図２に示すように、クッション４は、領域２ａ，３ａに対応する部分や領域２ｂ，３ｂに対応する部分では窓枠状になっているが、領域２ｃ，３ｃに対応する部分ではシート状になっており、したがって領域２ｃと領域３ｃとを仕切る仕切り板としての役割も有する。但し、クッション４のこのシート状の部分には、領域３ｃの渦巻状の経路の終端Ｔ２に対応する位置にのみ、穴１５があいている。
【００４６】
前述したように、前面側ボックス２の領域２ｃ内には渦巻状の経路から隔離された箇所１１が存在するが、この隔離箇所１１の位置は、クッション４の穴１５の位置に対応している。
【００４７】
前面側ボックス２と背面側ボックス３とをクッション４を挟んで互いに固定することによってスピーカーボックス１を完成させると、前面側ボックス２の領域２ｃと背面側ボックス３の領域３ｃとがクッション４によって仕切られるので、スピーカーボックス内の両端以外の空間（図６に示したように長さ１３１ｍｍの空間）が、前面側の空間と、背面側の空間とに仕切られるようになる。
【００４８】
そして、前面側の空間には、領域２ｃ及びクッション４により、図７に破線の矢印で示したような渦巻状の経路を有するダクトが形成される。この渦巻状の経路の終端Ｔ１は、前面側ボックス２の開口部１０に通じている。したがって、このダクトは、領域２ａとつながっている箇所Ｓ１が内側開口部になり、前面側ボックス２の開口部１０が外側開口部になる。そして、領域２ａ及び３ａにスピーカーユニット６を取り付けておくと、スピーカーユニット６の背面から発生した音が、このダクトを通して、前面側ボックス２の開口部１０から外部に放射される。
【００４９】
また、背面側の空間には、領域３ｃ及びクッション４により、図８に破線の矢印で示したような渦巻状の経路を有するダクトが形成される。この渦巻状の経路の終端Ｔ２は、クッション４の穴１５と前面側ボックス２の領域２ｃ内の隔離箇所１１とを介して前面側ボックス２の開口部１２に通じている。したがって、このダクトは、領域３ｂとつながっている箇所Ｓ２が内側開口部となり、前面側ボックス２の開口部１２が外側開口部となる。そして、領域２ｂ及び３ｂにスピーカーユニット７を取り付けておくと、スピーカーユニット７の背面から発生した音が、このダクトを通して、前面側ボックス２の開口部１２から外部に放射される。
【００５０】
このように、このスピーカーボックス１では、スピーカーユニット６，７のバスレフ用の２つダクトのうちの一方がスピーカー装置の前方寄りに配置されるとともに残りの一方がスピーカー装置の後方寄りに配置されている。すなわち、この２つのダクトが、互いにスピーカー装置の前後方向（厚さ方向）上に距離をあけて配置されている。
【００５１】
そして、この２つのダクトが、それぞれスピーカー装置の前後方向（厚さ方向）に対して垂直な方向（スピーカー装置の縦方向や横方向）に経路を延ばすとともに、この前後方向に対して垂直な面内（スピーカー装置の縦・横方向の面内）で経路を曲げている。
【００５２】
したがって、この２のダクトの経路を、互いに相手の経路を制限することなく、それぞれスピーカー装置の縦方向や横方向に延ばすとともにスピーカー装置の縦・横方向の面内で往復させることができる。これにより、スピーカーボックス１を薄型化しているにもかかわらず、この２つのダクトの経路をそれぞれ長くとることができる。
【００５３】
これにより、図４に示した画像表示装置２１は、バスレフ型スピーカー装置を狭いスペースに搭載することができるとともに、このバスレフ型スピーカー装置のスピーカーユニット６，７の背面から発生する音を、経路を長くとったバスレフ用のダクトから外部に放射することができる。
【００５４】
さらに、このスピーカーボックス１では、スピーカーボックス１内の空間を、スピーカー装置の前後方向に対して平行なクッション４を仕切り板として用いて前面側の空間と背面側の空間とに分離して、各空間に１つずつダクトを配置している。
【００５５】
したがって、コストをかけることなく、簡単な構造によって、この２つのダクトが互いにスピーカー装置の前後方向（厚さ方向）上に距離をあけて配置されている。
【００５６】
さらに、このスピーカーボックス１では、クッション４は、背面側の空間のダクトの渦巻状の経路Ｔ２の終端に対応する位置に、前面側の空間と背面側の空間とを結ぶ穴１５を有しており、前面側の空間のうち、この穴１５によって背面側の空間と結ばれた箇所１１は、ダクトの経路から隔離されており、前面側ボックス２は、前面側の空間のダクトの渦巻状の経路の終端Ｔ１の位置に対応させて開口部１０（前面側のダクトの外側開口部）を有するとともに、この穴１５の位置に対応させて開口部１２（背面側のダクトの外側開口部）を有している。
【００５７】
これにより、スピーカーボックス１を薄型化しているにもかかわらず、スピーカーユニット６，７の背面からの音を、それぞれ経路を長くとった２つのダクトを通して、互いに同じ向き（スピーカー装置の前方）に放射することができる。
【００５８】
次に、このスピーカーボックス１にスピーカーユニット６，７を取り付けたバスレフ型スピーカー装置の周波数特性の測定結果を、パイプ型のダクトを設けたバスレフ型スピーカー装置の測定結果と比較して説明する。
【００５９】
まず、図９〜図１１は、比較対象とするためにパイプ型のダクトを設けたスピーカーボックスの構成を示す図（図９は背面側から見た分解図、図１０は前面側から見た分解図、図１１は前面側から見た斜視図）である。このスピーカーボックス３１は、全体の形状や寸法はスピーカーボックス１と同一であり、ダクトの構造のみがスピーカーボックス１と異なっている。したがって、ダクトの構造のみについて説明することにする。
【００６０】
このスピーカーボックス３１の前面側ボックス３２には、図９に示すように、スピーカーユニット６を取り付けるための領域寄りの位置に、スピーカー装置の前後方向（厚さ方向）に延びたパイプ３４が形成されている。また、前面側ボックス３２には、スピーカーユニット７を取り付けるための領域寄りの位置に、同じく厚さ方向に延びたパイプ３５が形成されている。これらのパイプ３４，３５の長さは、前面側ボックス３２の厚さよりも長いが、スピーカーボックス３１内の空間の厚さよりも短くなっている。図１０や図１１に示すように、前面側ボックス３２は、これらのパイプ３４，３５の外側開口部３６，３７を有している。
【００６１】
また、図９に示すように、前面側ボックス３２には、パイプ３４とパイプ３５との間の位置に、前面側ボックス３２の厚さと同じ高さの壁３８が形成されている。
【００６２】
他方、このスピーカーボックス３１の背面側ボックス３３には、図１０に示すように、前面側ボックス３２のパイプ３４の位置と対応する位置に、パイプ３４の外径よりも広い内径を有し且つパイプ３４よりも長さの短いパイプ３９が形成されている。また、背面側ボックス３３には、前面側ボックス３２のパイプ３５の位置と対応する位置に、パイプ３５の外径よりも広い内径を有し且つパイプ３５よりも長さの短いパイプ４０が形成されている。また、背面側ボックス３３には、前面側ボックス３２の壁３８の位置と対応する位置に、背面側ボックス３３の厚さと同じ高さの壁４１が形成されている。
【００６３】
前面側ボックス３２と背面側ボックス３３とを窓枠状クッション４２及び４３を挟んで互いに固定することによってスピーカーボックス３１を完成させると、図１２に示すように、前面側ボックス３２のパイプ３４の内側開口部が、背面側ボックス３３のパイプ３９に接触することなくこのパイプ３９の内側に位置するようになるとともに、前面側ボックス３２のパイプ３５の内側開口部が、背面側ボックス３３のパイプ４０に接触することなくこのパイプ４０の内側に位置するようになる。これにより、破線の矢印で示すような経路を有する２つのダクトが形成される。この経路の全長は、それぞれ約５６ｍｍである。そして、壁３８及び４１により、これらの２つのダクトを有する空間が互いに分離される。
【００６４】
したがって、スピーカーユニット６，７を取り付けておくと、スピーカーユニット６，７の背面から発生した音が、それぞれこれらのダクトの一方ずつを通して、パイプ３４，３５の外側開口部３６，３７から外部に放射される。
【００６５】
図１３は、本発明を適用したスピーカーボックス１にスピーカーユニット６，７を取り付けたバスレフ型スピーカー装置の周波数特性の測定結果を、図９〜図１１のスピーカーボックス３１に同じスピーカーユニット６，７を取り付けたバスレフ型スピーカー装置の周波数特性の測定結果と一緒に示す図である。スピーカーボックス３１の場合には２００Ｈｚ付近の低音域のレベルが低いのに対し、スピーカーボックス１の場合には２００Ｈｚ付近の低音域のレベルが大幅に上昇している。このように、本発明を適用したスピーカーボックス１では、低音域の特性が大幅に改善されるという測定結果が得られた。
【００６６】
なお、以上の例では、スピーカーボックス１のうちの前面側ボックス２のほうに２つのダクトの外側開口部（開口部１０，１２）を形成しているが、別の例として、背面側ボックス３のほうに２つのダクトの外側開口部を形成してもよい。
【００６７】
また、以上の例では渦巻状の経路を領域２ｃ，３ｃに形成しているが、渦巻状以外の形状の経路を領域２ｃ，３ｃに形成してもよい。図１４は、領域２ｃについて、Ｓ字状の経路を形成した例を示した図である。この図１４では、図７と同様に、Ｓ字状の経路を、見やすくするために破線状の矢印で示している。また、図７に示した終端Ｔ１，開口部１０，箇所１１，開口部１２を、それぞれ同じ符号を付して、Ｓ字状の経路用に位置を修正して示している。
【００６８】
また、以上の例では、クッション４を仕切り板として用いることによって、スピーカーボックス１内の空間を前面側の空間と背面側の空間とに分離して、各空間に１つずつダクトを配置している。これ以外の方法によって、２つのダクトを、互いにスピーカー装置の前後方向（厚さ方向）上に距離をあけて配置するようにしてもよい。ひとつの例としては、渦巻状に曲がった中空のチューブを、互いにスピーカー装置の前後方向上に距離をあけて２本配置して、各チューブをそれぞれダクトとして用いることが考えられる。
【００６９】
また、以上の例では、各ダクトが、それぞれスピーカー装置の縦・横方向の面内で経路を曲げるようにしている。しかし、別の例として、各ダクトが、それぞれスピーカー装置の縦方向や横方向に経路を延ばすが、スピーカー装置の縦・横方向の面内では経路を曲げず、スピーカー装置の前後方向（厚さ方向）に経路を曲げるようにしてもよい。そのようにしても、スピーカーボックスを薄型化した場合に、従来のようなパイプ型のダクトと比較して、ダクトの経路を長くとることができる。
【００７０】
また、以上の例では、２つのスピーカーユニットを取り付け可能なスピーカーボックスに本発明を適用しているが、本発明は、１つのスピーカーユニットのみを取り付け可能なスピーカーボックスにも適用してよい。
【００７１】
また、以上の例では、直視型の画像表示装置に搭載するスピーカー装置に本発明を適用しているが、本発明は、システムステレオ，ラジオ，カセットレコーダー，カーオーディオ，単体のスピーカー装置等にも適用することができる。
【図面の簡単な説明】
【００７２】
【図１】本発明を適用したスピーカーボックスの構成例を示す図である。
【図２】本発明を適用したスピーカーボックスの構成例を示す図である。
【図３】本発明を適用したスピーカーボックスの構成例を示す図である。
【図４】図１〜図３のスピーカーボックスを搭載した画像表示装置の外観構成例を示す図である。
【図５】図１〜図３のスピーカーボックスの寸法を示す図である。
【図６】図１〜図３の前面側ボックスの寸法を示す図である。
【図７】図１〜図３の前面側ボックスの渦巻状の経路を示す図である。
【図８】図１〜図３の背面側ボックスの渦巻状の経路を示す図である。
【図９】パイプ型のダクトを設けたスピーカーボックスの構成を示す図である。
【図１０】パイプ型のダクトを設けたスピーカーボックスの構成を示す図である。
【図１１】パイプ型のダクトを設けたスピーカーボックスの構成を示す図である。
【図１２】図９〜図１１のスピーカーボックス内に形成されるダクトを示す図である。
【図１３】本発明を適用したバスレフ型スピーカー装置の周波数特性の測定結果等を示す図である。
【図１４】Ｓ字状の経路のダクトを形成した例を示す図である。
【符号の説明】
【００７３】
１  スピーカーボックス
２  前面側ボックス
２ａ〜２ｃ  前面側ボックス２内の領域
３  背面側ボックス
３ａ〜３ｃ  背面側ボックス３内の領域
４  クッション
６，７  スピーカーユニット
８，９  前面側ボックス２内の壁
１３，１４  背面側ボックス３内の壁
１０，１２  前面側ボックス２の開口部
１１  領域２ｃ内で渦巻状の経路から隔離された箇所
１５  クッション４の穴
Ｓ１  領域２ａと２ｃとがつながった箇所（渦巻状の経路の始端）
Ｓ２  領域３ｂと３ｃとがつながった箇所（渦巻状の経路の始端）
Ｔ１，Ｔ２  渦巻状の経路の終端
【図１】
2006253948.tif 000003
【図２】
2006253948.tif 000004
【図３】
2006253948.tif 000005
【図４】
2006253948.tif 000006
【図５】
2006253948.tif 000007
【図６】
2006253948.tif 000008
【図７】
2006253948.tif 000009
【図８】
2006253948.tif 000010
【図９】
2006253948.tif 000011
【図１０】
2006253948.tif 000012
【図１１】
2006253948.tif 000013
【図１２】
2006253948.tif 000014
【図１３】
2006253948.tif 000015
【図１４】
2006253948.tif 000016